(57)【特許請求の範囲】
【請求項１】
空調対象室の室内空気と熱交換させる低温熱媒を内部に通過させる熱交換部を設け、
この熱交換部を縦姿勢で空調対象室の室内に露出させる状態に配置して器体に装備することで、前記熱交換部において生じる冷気を前記熱交換部に沿う状態で自然降下させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に冷房用ファンを装備し、
前記冷房用ファンにより、前記上部空気口から室内空気を吸入して、前記横側器体部分の前記導風路を流通する空気を冷房用補助空気として、前記熱交換部からの降下冷気に吹き付ける状態で前記下部空気口から前記空調対象室の室内に向けて吐出する構成にしてある空調装置。
【請求項２】
前記横側器体部分における上下中間部に、連通孔を有する区画板を前記横側器体部分の内部を上下に区画する状態で設け、
前記区画板における前記連通孔に前記冷房用ファンを装備してある請求項１に記載の空調装置。
【請求項３】
空調対象室の室内空気と熱交換させる高温熱媒を内部に通過させる熱交換部を設け、
この熱交換部を縦姿勢で空調対象室の室内に露出させる状態に配置して器体に装備することで、前記熱交換部から空調対象室の室内に向けて熱輻射させるとともに、前記熱交換部において生じる暖気を前記熱交換部に沿う状態で自然上昇させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に暖房用ファンを装備し、
前記暖房用ファンにより、前記下部空気口から室内空気を吸入して、前記横側器体部分の前記導風路を流通する空気を暖房用補助空気として、前記熱交換部からの上昇暖気に吹き付ける状態で前記上部空気口から前記空調対象室の室内に向けて吐出する構成にしてある空調装置。
【請求項４】
前記横側器体部分における上下中間部に、連通孔を有する区画板を前記横側器体部分の内部を上下に区画する状態で設け、
前記区画板における前記連通孔に前記暖房用ファンを装備してある請求項３に記載の空調装置。
【請求項５】
空調対象室の室内空気と熱交換させる熱媒を内部に通過させる熱交換部を設けるとともに、この熱交換部の内部に低温熱媒を通過させる冷房運転と前記熱交換部の内部に高温熱媒を通過させる暖房運転との切り換えを可能にし、
前記熱交換部を縦姿勢で空調対象室の室内に露出させる状態に配置して器体に装備することで、冷房運転では、前記熱交換部において生じる冷気を前記熱交換部に沿う状態で自然降下させて空調対象室に供給し、
暖房運転では、前記熱交換部から空調対象室の室内に向けて熱輻射させるとともに、前記熱交換部において生じる暖気を前記熱交換部に沿う状態で自然上昇させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に冷房用ファンと暖房用ファンとを装備し、
冷房運転において、前記冷房用ファンにより、前記上部空気口から室内空気を吸入して、前記横側器体部分の前記導風路を流通する空気を冷房用補助空気として、前記熱交換部からの降下冷気に吹き付ける状態で前記下部空気口から前記空調対象室の室内に向けて吐出し、
暖房運転において、前記暖房用ファンにより、前記下部空気口から室内空気を吸入して、前記横側器体部分の前記導風路を流通する空気を暖房用補助空気として、前記熱交換部からの上昇暖気に吹き付ける状態で前記上部空気口から前記空調対象室の室内に向けて吐出する構成にしてある空調装置。
【請求項６】
共通ファンと、この共通ファンの送風向きの切り換えを行なう切換手段と、を設け、
前記切換手段による切り換えにより、冷房運転では、前記共通ファンを前記冷房用ファンとして前記下部空気口から冷房用補助空気を吐出させ、暖房運転では、前記共通ファンを前記暖房用ファンとして前記上部空気口から暖房用補助空気を吐出させる構成にしてある請求項５に記載の空調装置。
【請求項７】
前記横側器体部分における上下中間部に、連通孔を有する区画板を前記横側器体部分の内部を上下に区画する状態で設け、
前記区画板における前記連通孔に前記共通ファンを装備してある請求項６に記載の空調装置。
【請求項８】
請求項１，２，５〜７のいずれか一項に記載の前記冷房用ファン、又は、請求項３〜７のいずれか一項に記載の前記暖房用ファンを間欠的に運転する制御手段を設けてある空調装置。
【請求項９】
請求項１，２，５〜７のいずれか一項に記載の前記冷房用ファンの送風量、又は、請求項３〜７のいずれか一項に記載の前記暖房用ファンの送風量を使用者からの調整指令又は空調対象室の測定室内温度に応じて調整する制御手段を設けてある空調装置。
【発明の詳細な説明】
【技術分野】
【０００１】
本発明は空調装置に関し、特に、空調対象室の室内空気と熱交換させる低温熱媒を内部に通過させる熱交換部を設け、この熱交換部を縦姿勢で空調対象室の室内に露出させる状態に配置して器体に装備することで、前記熱交換部において生じる冷気を前記熱交換部に沿う状態で自然降下させて空調対象室に供給する構成にしてある空調装置、
及び、空調対象室の室内空気と熱交換させる高温熱媒を内部に通過させる熱交換部を設け、この熱交換部を縦姿勢で空調対象室の室内に露出させる状態に配置して器体に装備することで、前記熱交換部から空調対象室の室内に向けて熱輻射させるとともに、前記熱交換部において生じる暖気を前記熱交換部に沿う状態で自然上昇させて空調対象室に供給する構成にしてある空調装置に関する。
【背景技術】
【０００２】
従来、この種の空調装置では、熱交換部から自然降下する冷気については、室内空気との温度差による比重差により単に自然降下させるままにしており、また、熱交換部から自然上昇する暖気についても、室内空気との温度差による比重差により単に自然上昇させるままにしていた（特許文献１参照）。
【先行技術文献】
【特許文献】
【０００３】
【特許文献１】実開昭６２−９０２０
【発明の概要】
【発明が解決しようとする課題】
【０００４】
しかし、上記の如き従来装置では、熱交換部から冷気を自然降下させる冷房運転において、その降下冷気を単に自然降下させるだけのため、冷気が空調対象室の下層部に溜る状態になり、この為、冷房負荷が小さい状況において空調対象室の下層部が冷え過ぎの状態になって在室者（特に腰下）が寒く感じ易い問題があった。
【０００５】
また、熱交換部から暖気を自然上昇させる暖房運転において、その暖気を単に自然上昇させるだけのため、暖気が空調対象室の上層部に溜まる状態になり、この為、熱交換部からの熱輻射はあるものの、空調対象室の中・下層部において在室者に十分な暖房効果を与え難い問題があった。
【０００６】
これらの実情に鑑み、本発明の主たる課題は、合理的な装置構成を採ることで、上記の如き問題を効果的に解消する点にある。
【課題を解決するための手段】
【０００７】
本発明の第１特徴構成は空調装置に係り、その特徴は、
空調対象室の室内空気と熱交換させる低温熱媒を内部に通過させる熱交換部を設け、
この熱交換部を縦姿勢で空調対象室の室内に露出させる状態に配置して器体に装備することで、前記熱交換部において生じる冷気を前記熱交換部に沿う状態で自然降下させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に冷房用ファンを装備し、
前記冷房用ファンにより、前記上部空気口から室内空気を吸入して、前記横側器体部分の前記導風路を流通する空気を冷房用補助空気として、前記熱交換部からの降下冷気に吹き付ける状態で前記下部空気口から前記空調対象室の室内に向けて吐出する構成にしてある点にある。
【０００８】
つまり、この構成によれば、下部空気口から冷房用補助空気を熱交換部からの降下冷気に吹き付ける状態で空調対象室の室内に向けて冷房用ファンにより吐出するから、その空気吐出による拡散をもって、熱交換部からの降下冷気が空調対象室の下層部に溜まる状態になることを効果的に抑止するとともに、空調対象室における中・上層部の空気と熱交換部からの降下冷気との混合も促進することができる。
【０００９】
また、器体周りから吸入した室内空気を冷房用補助空気として熱交換部からの降下冷気に吹き付ける状態で下部空気口から吐出させるから、熱交換部からの降下冷気に室内空気（冷房用補助空気）を効果的に混合して、最終的に空調対象室に供給する冷気の風量を増大させるとともに、その温度を適度に高めることもできる。
【００１０】
即ち、これらのことにより、空調対象室における上下方向での温度の偏りを軽減して、空調対象室に対し均一で良好な冷房を効果的に施すことができ、空調対象室の下層部が冷え過ぎの状態になることを効果的に防止することができる。
また、器体の上部に設けた上部空気口から室内中層部又は室内上層部の室内空気を冷房用ファンにより吸入して、その吸入空気を前記下部空気口から吐出させるから、空調対象室での下層部から中・上層部にわたる循環流的な空気対流の形成を、下部空気口からの冷房用補助空気の吐出と上部空気口からの室内空気の吸入とにより促進することができ、これにより、空調対象室における上下方向での温度の偏りを軽減して空調対象室に対し均一で良好な冷房を施すことを一層効果的に達成することができる。
また、冷房用ファンにより上部空気口から室内空気を吸入して、その吸入空気を冷房用補助空気として下部空気口から吐出させることを、器体そのものをダクトとして利用する形態で器体の内部を通じて実施することができ、これにより、下部空気口と上部空気口との連通させる専用の導風ダクトを設けるのに比べ、装置コストを安価にし得るとともに装置の小型化も可能になる。
【００１１】
本発明の第２特徴構成は、第１特徴構成の実施において、
前記横側器体部分における上下中間部に、連通孔を有する区画板を前記横側器体部分の内部を上下に区画する状態で設け、
前記区画板における前記連通孔に前記冷房用ファンを装備してある点にある。
【００１２】
【００１３】
本発明の第３特徴構成は空調装置に係り、その特徴は、
空調対象室の室内空気と熱交換させる高温熱媒を内部に通過させる熱交換部を設け、
この熱交換部を縦姿勢で空調対象室の室内に露出させる状態に配置して器体に装備することで、前記熱交換部から空調対象室の室内に向けて熱輻射させるとともに、前記熱交換部において生じる暖気を前記熱交換部に沿う状態で自然上昇させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に暖房用ファンを装備し、
前記暖房用ファンにより、前記下部空気口から室内空気を吸入して、前記横側器体部分の前記導風路を流通する空気を暖房用補助空気として、前記熱交換部からの上昇暖気に吹き付ける状態で前記上部空気口から前記空調対象室の室内に向けて吐出する構成にしてある点にある。
【００１４】
つまり、この構成によれば、上部空気口から暖房用補助空気を熱交換部からの上昇暖気に吹き付ける状態で空調対象室の室内に向けて暖房用ファンにより吐出するから、その空気吐出による拡散をもって、熱交換部からの上昇暖気が空調対象室の上層部に溜まる状態になることを効果的に抑止するとともに、空調対象室における下層部の空気と熱交換部からの上昇暖気との混合も促進することができる。
【００１５】
また、器体周りから吸入した室内空気を暖房用補助空気として熱交換部からの上昇暖気に吹き付ける状態で上部空気口から吐出させるから、熱交換部からの上昇暖気に室内空気（暖房用補助空気）を効果的に混合して、最終的に空調対象室に供給する暖気の風量を増大させるとともに、その温度を適度に低下させることもできる。
【００１６】
即ち、これらのことにより、空調対象室における上下方向での温度の偏りを軽減して、空調対象室に対し均一で良好な暖房を効果的に施すことができ、熱交換部からの熱輻射とも相俟って、空調対象室の中・下層部においても在室者に十分な暖房効果を与えることができる。
また、器体の下部に設けた下部空気口から室内下層部の室内空気を暖房用ファンにより吸入して、その吸入空気を前記上部空気口から吐出させるから、空調対象室での上層部から中・下層部にわたる循環流的な空気対流の形成を、上部空気口からの暖房用補助空気の吐出と下部空気口からの室内空気の吸入とにより促進することができ、これにより、空調対象室における上下方向での温度の偏りを軽減して空調対象室に対し均一で良好な暖房を施すことを一層効果的に達成することができる。
また、暖房ファンにより下部空気口から室内空気を吸入して、その吸入空気を暖房用補助空気として上部空気口から吐出させることを、器体そのものをダクトとして利用する形態で器体の内部を通じて実施することができ、これにより、下部空気口と上部空気口との連通させる専用の導風ダクトを設けるのに比べ、装置コストを安価にし得るとともに装置の小型化も可能になる。
【００１７】
本発明の第４特徴構成は、第３特徴構成において、
前記横側器体部分における上下中間部に、連通孔を有する区画板を前記横側器体部分の内部を上下に区画する状態で設け、
前記区画板における前記連通孔に前記暖房用ファンを装備してある点にある。
【００１８】
【００１９】
本発明の第５特徴構成は空調装置に係り、その特徴は、
空調対象室の室内空気と熱交換させる熱媒を内部に通過させる熱交換部を設けるとともに、この熱交換部の内部に低温熱媒を通過させる冷房運転と前記熱交換部の内部に高温熱媒を通過させる暖房運転との切り換えを可能にし、
前記熱交換部を縦姿勢で空調対象室の室内に露出させる状態に配置して器体に装備することで、冷房運転では、前記熱交換部において生じる冷気を前記熱交換部に沿う状態で自然降下させて空調対象室に供給し、
暖房運転では、前記熱交換部から空調対象室の室内に向けて熱輻射させるとともに、前記熱交換部において生じる暖気を前記熱交換部に沿う状態で自然上昇させて空調対象室に供給する構成にしてある空調装置であって、
前記器体は、前記熱交換部の下方に位置する下側器体部分と、前記熱交換部の上方に位置する上側器体部分と、前記熱交換部の両側方において前記下側器体部分と前記上側器体部分とに亘る一対の横側器体部分と、を含み、
前記下側器体部分に下部空気口を設けるとともに、前記上側器体部分に上部空気口を設け、
前記一対の横側器体部分のそれぞれに前記下部空気口と前記上部空気口とを連通させる導風路を設け、
前記導風路に冷房用ファンと暖房用ファンとを装備し、
冷房運転において、前記冷房用ファンにより、前記上部空気口から室内空気を吸入して、前記横側器体部分の前記導風路を流通する空気を冷房用補助空気として、前記熱交換部からの降下冷気に吹き付ける状態で前記下部空気口から前記空調対象室の室内に向けて吐出し、
暖房運転において、前記暖房用ファンにより、前記下部空気口から室内空気を吸入して、前記横側器体部分の前記導風路を流通する空気を暖房用補助空気として、前記熱交換部からの上昇暖気に吹き付ける状態で前記上部空気口から前記空調対象室の室内に向けて吐出する構成にしてある点にある。
【００２０】
つまり、この構成によれば、状況に応じて冷房運転又は暖房運転を選択的に実施することができ、そして、冷房運転では前述した第１特徴構成と同様の効果を得ることができ、また、暖房運転では前述した第３特徴構成と同様の効果を得ることができる。
【００２１】
即ち、冷房運転及び暖房運転のいずれにおいても、空調対象室に対し均一で良好な冷暖房を効果的に施すことができる。
【００２２】
【００２３】
【００２４】
【００２５】
本発明の第６特徴構成は、第５特徴構成において、
共通ファンと、この共通ファンの送風向きの切り換えを行なう切換手段と、を設け、
前記切換手段による切り換えにより、冷房運転では、前記共通ファンを前記冷房用ファンとして前記下部空気口から冷房用補助空気を吐出させ、暖房運転では、前記共通ファンを前記暖房用ファンとして前記上部空気口から暖房用補助空気を吐出させる構成にしてある点にある。
【００２６】
つまり、この構成によれば、共通ファンを冷房用ファンと暖房用ファンとに兼用するから、冷房用ファンと暖房用ファンとを各別に装備するのに比べ、装置コストを安価にすることができ、また、ファン装備に必要なスペースを小さくできることで装置の小型化も可能になる。
【００２７】
本発明の第７特徴構成は、第６特徴構成において、
前記横側器体部分における上下中間部に、連通孔を有する区画板を前記横側器体部分の内部を上下に区画する状態で設け、
前記区画板における前記連通孔に前記共通ファンを装備してある点にある。
【００２８】
【００２９】
本発明の第８特徴構成は、第１，第２，第５〜第７特徴構成のいずれかにおける前記冷房用ファン、又は、第３〜第７特徴構成のいずれかにおける前記暖房用ファンを間欠的に運転する制御手段を設けてある点にある。
【００３０】
つまり、この構成によれば、下部空気口からの冷房用補助空気の吐出、又は、上部空気口からの暖房用補助空気の吐出を間欠的に実施するから、在室者が常時、気流に晒されることで不快になることを防止することができ、これにより、前述の如く空調対象室に対し均一で良好な冷暖房を施し得ることと相俟って、空調対象室に対する冷暖房の快適性を一層高めることができる。
【００３１】
本発明の第９特徴構成は、第１，第２，第５〜第７特徴構成のいずれかにおける前記冷房用ファンの送風量、又は、第３〜第７特徴構成のいずれかにおける前記暖房用ファンの送風量を使用者からの調整指令又は空調対象室の測定室内温度に応じて調整する制御手段を設けてある点にある。
【００３２】
つまり、この冷房用ファンの送風量あるいは暖房用ファンの送風量、即ち、下部空気口からの冷房用補助空気の吐出風量、あるいは、上部空気口からの暖房用補助空気の吐出風量を使用者からの調整指令又は空調対象室の測定室内温度に応じて制御手段が調整するから、単に一定風量の冷房用補助空気を下部空気口から吐出するのに比べ、あるいは、単に一定風量の暖房用補助空気を上部空気口から吐出するのに比べ、空調対象室に対する冷暖房の快適性を一層高めることができる。
【図面の簡単な説明】
【００３３】
【図１】室内機の外観斜視図
【図２】室内機の内部構造及び室外機を示す正面部
【図３】冷房運転状態及び暖房運転状態を示す室内機の側面視図
【図４】図３におけるIV−IV線断面図
【図５】伝熱エレメントの横断面部及び斜視図
【図６】別実施形態を示す室内機の側面図
【発明を実施するための形態】
【００３４】
図１は本発明による空調装置の室内機を示し、この室内機１には、冷房運転において冷気を生じさせ、また、暖房運転では熱輻射を生じさせるとともに暖気を生じさせる熱交換部２を備えさせてあり、この熱交換部２は縦姿勢で空調対象室の室内に露出させる状態に配置して室内機１の器体３に装備してある。
【００３５】
また、この室内機１は、図２に示す如く、冷媒往還用の２本の渡り冷媒管４により屋外設置の室外機５と接続してあり、これら室内機１と室外機５とにより空調装置が構成される。
【００３６】
室外機５には、冷凍回路６を構成する圧縮機６ａ，室外側熱交換器６ｂ，膨張弁６ｃを内装するとともに、冷凍回路６における冷媒経路の切り換えを行なう四方弁６ｄを内装してある。
【００３７】
室内機１の器体３に装備する熱交換部２は、銅製の伝熱管７を縦管姿勢で横一列に並列配置して形成してあり、これら伝熱管７の上端を接続した横管姿勢の上部冷媒管８ａは内部冷媒管８ｂを介して一方の渡り冷媒管４に接続し、また、各伝熱管７の下端を接続した横管姿勢の下部冷媒管８ｃは他方の渡り冷媒管４に接続してある。
【００３８】
また、熱交換部２を形成する並列配置の伝熱管７は、冷媒往還用の２本の渡り冷媒管４に対し、器体３内の各冷媒管８ａ〜８ｃを介して所謂リバースリターン方式で接続してある。
【００３９】
室外機５に装備した四方弁６ｄは、冷凍回路６における冷媒経路の切り換えにより冷房運転と暖房運転との切り換えを行なうものであり、具体的には、冷房運転では、各伝熱管７の管内を冷凍回路６における冷媒Ｒの蒸発部として機能させて冷媒Ｒと空調対象室の室内空気ＲＡとを熱交換さえ、かつ、室外機５の室外側熱交換器６ｂを冷凍回路６における冷媒Ｒの凝縮部とし機能させて冷媒Ｒと外気とを熱交換させる状態に、冷凍回路６の冷媒経路を切り換える。
【００４０】
また、暖房運転では、逆に、各伝熱管７の管内を冷凍回路６における冷媒Ｒの凝縮部として機能させて冷媒Ｒと空調対象室の室内空気ＲＡとを熱交換させ、かつ、室外機５の室外側熱交換器６ｂを冷凍回路６における冷媒Ｒの蒸発部として機能させて冷媒Ｒと外気とを熱交換させる状態に、冷凍回路６の冷媒経路を切り換える。
【００４１】
即ち、冷房運転では、冷凍回路６における膨張弁６ｃを通過した後の蒸発過程にある低圧冷媒Ｒ（換言すれば、湿り蒸気状態の低圧冷媒）を各伝熱管７に通過させて、その通過冷媒Ｒの蒸発に伴う気化熱奪取により各伝熱管７を冷却することで、図３（ａ）に示すように、熱交換部２において冷気ＣＡを発生させ、この発生冷気ＣＡをに示すように熱交換部２に沿う状態で熱交換部２から自然降下させて空調対象室に供給することにより、その供給冷気ＣＡをもって空調対象室の室内に冷房を施す。
【００４２】
また、暖房運転では、冷凍回路６における圧縮機６ａから吐出された後の凝縮過程にある高圧冷媒Ｒ（換言すれば、湿り蒸気状態の高圧冷媒）を各伝熱管７に通過させて、その通過冷媒Ｒの凝縮に伴う凝縮熱放出により各伝熱管７を加熱することで、図３（ｂ）に示すように、熱交換部２において室内に向う熱輻射ＨＲを発生させるとともに暖気ＨＡを発生させ、この発生暖気ＨＡを熱交換部２に沿う状態で自然上昇させて空調対象室に供給することにより、その供給暖気ＨＡと熱輻射ＨＲとをもって空調対象室の室内に暖房を施す。
【００４３】
上記の如く冷房運転と暖房運転との切り換えを行なうにあたり、冷房運転では、下部冷媒管８ｃから各伝熱管７に膨張弁６ｃを通過した後の低圧冷媒Ｒを供給して、その低圧冷媒Ｒを各伝熱管７の管内における上向き通過過程で蒸発させ、一方、暖房運転では逆に、上部冷媒管８ａから各伝熱管７に圧縮機６ａから吐出された後の高圧冷媒Ｒを供給して、その高圧冷媒Ｒを各伝熱管７の管内における下向き通過過程で凝縮させるようにしてある。
【００４４】
つまり、冷房運転では、蒸発前の液相側の冷媒Ｒが縦管姿勢の伝熱管７の下端部側に位置するようにし、また、暖房運転でも、凝縮後の液相側の冷媒Ｒが縦管姿勢の伝熱管７の下端部側に位置するようにし、そのことで、蒸発過程や凝縮過程にある湿り蒸気状態の冷媒Ｒが伝熱管７の管内を円滑に通過できるようにして、圧縮機６ａの負担軽減により消費電力を低減するとともに、冷媒Ｒの管内通過に伴う熱交換部２での発生音を抑止する。
【００４５】
そしてまた、伝熱管７を縦管姿勢で並列配置して熱交換部２を形成することにより、伝熱管７の管周方向の全周にわたって伝熱管７の内面に蒸発過程又は凝縮過程にある湿り蒸気状態の冷媒Ｒが接する状態となる領域を伝熱管７の長手方向において大きく確保できるようにし、このことで、熱交換部２での冷気ＣＡの発生や熱輻射ＨＲ及び暖気ＨＡの発生を均一化する。
【００４６】
なお、冷房運転では、蒸発過程にある湿り蒸気状態の冷媒Ｒの存在域が伝熱管７の長さ範囲を上限範囲として極力大きく確保されるように、また、暖房運転でも、凝縮過程にある湿り蒸気状態の冷媒Ｒの存在域が伝熱管７の長さ範囲を上限範囲として極力大きく確保されるように冷凍回路６の諸元を予め設定してある。
【００４７】
即ち、この設定により、冷房運転では、冷気発生の必要がない上部冷媒管８ａや下部冷媒管８ｃの不必要な冷却を抑制して、それら上部冷媒管８ａや下部冷媒管８ｃでの凝縮水（換言すれば結露水）の発生を抑制しながら、熱交換部２の全体において均一に冷気ＣＡを発生させ、また、暖房運転では、熱輻射発生及び暖気発生の必要がない上部冷媒管８ａや下部冷媒管８ｃの不必要な加熱を抑制しながら、熱交換部２の全体において均一に熱輻射ＨＲ及び暖気ＨＡを発生させる。
【００４８】
熱交換部２を形成する各伝熱管７の外周には、熱良導材製（本例ではアルミ製）の伝熱エレメント９を伝熱管長手方向のほぼ全長にわたらせて装着してあり、この伝熱エレメント９には、図５に示す如く、その横断面視において、伝熱管７の外周に取り付ける基部９ａ、及び、伝熱管７の並び方向において間隔を空けた並列配置で基部９ａから熱交換部２の対向先側に向かって延びる複数の伝熱板９ｂ（換言すれば、吸放熱用のフィン）を設けてある。
【００４９】
また、この伝熱エレメント９は、それぞれ複数の伝熱板９ｂを備える２つの分割部９Ａ，９Ｂからなる二分割構造にしてあり、これら分割部９Ａ，９Ｂの基部形成部分どうしの間に伝熱管７を嵌合状態に挟み込んで伝熱管７の外周に装着する構造にしてある。
【００５０】
即ち、この伝熱エレメント９を各伝熱管７の外周に装着することにより、熱交換部２の実質的な伝熱面積を大きく確保して、熱交換部２での冷気ＣＡの発生効率や熱輻射ＨＲ及び暖気ＨＡの発生効率を高めるようにしてある。
【００５１】
また、冷房運転では、熱交換部２での発生冷気ＣＡを縦板姿勢の伝熱板９ｂによる案内により伝熱板９ｂどうしの間の間隔を通じて下方へ整流化した状態で円滑に自然降下させ、また、暖房運転では、熱交換部２での発生暖気ＨＡを縦板姿勢の伝熱板９ｂによる案内により伝熱板９ｂどうしの間の間隔を通じて上方へ整流化した状態で円滑に自然上昇させるようにしてある。
【００５２】
室内機１の器体３は、熱交換部２の下方に位置させる下側器体部分３Ａと、熱交換部２の上方に位置させる上側器体部分３Ｂと、熱交換部２の両側方夫々に位置させて下側器体部分３Ａと上側器体部分３Ｂとにわたらせる横側器体部分３Ｃとからなり、上側器体部分３Ｂの内部には、各伝熱管７の上端部を貫通させる上部側の横フレーム１０と、横管姿勢の上部冷媒管８ａとを収納してある。
【００５３】
また、下側器体部分３Ａには、各伝熱管７の下端部を貫通させる下部側の横フレーム１１と、最下部に配置した横姿勢の底フレーム１２と、内部冷媒管８ｂの下側部分と、横管姿勢の下部冷媒管８ｃとを収納するとともに、冷房運転において熱交換部２から伝熱エレメント９を伝って流下する凝縮水を受け入れるドレンパン１３を内装してある。
【００５４】
ドレンパン１３に受け入れた凝縮水は下側器体部分３Ａに内装した排水ポンプ１５ａによりドレン排水管１５を通じて外部の適当な排水箇所に排出する。
【００５５】
横側器体部分３Ｃの夫々には上部側の横フレーム１０の横端部と下部側の横フレーム１１の横端部と底フレーム１２の横端部とにわたって、それらフレーム１０〜１２の横端部を連結する縦フレーム１４を収容し、一方の縦フレーム１４には、内部冷媒管８ｂの縦管部分を収容してある。
【００５６】
図１，図３に示す如く、下側器体部分３Ａの前面部には、熱交換部２の全幅にわたる幅寸法の下部空気口１６Ａを形成し、同じく、上側器体部分３Ｂの前面部には、熱交換部２の全幅にわたる幅寸法の上部空気口１６Ｂを形成してある。
【００５７】
そして、左右の横側器体部分３Ｃ夫々の上下中間部には、図２〜図４に示す如く、連通口１７ａを形成した区画板１７を、それにより横側器体部分３Ｃの内部を上下に区画する状態で設け、その区画板１７の連通口１７ａには、後述の制御器１９（切換手段）による回転方向の正逆転切り換えにより送風向きを下向きと上向きとに切り換えることができるファン１８（共通ファン）を装備してある。
【００５８】
つまり、冷房運転では送風向きを下向きにした冷房用送風状態で上記ファン１８を運転することにより、器体３の内部を導風路とした状態で、図３（ａ）に示すように、上部空気口１６Ｂから室内空気ＲＡを上側器体部分３Ｂの内部に吸入して、その吸入空気ＲＡを左右の横側器体部分３Ｃの内部及び下側器体部分３Ａの内部を通じ冷房用補助空気Ａとして熱交換部２からの降下冷気ＣＡに吹き付ける状態で下部空気口１６Ａから空調対象室の室内に向けて吐出させるようにしてある。
【００５９】
また、暖房運転では、送風向きを上向きにした暖房用送風状態で上記ファン１８を運転することにより、同じく器体３の内部を導風路とした状態で、図３（ｂ）に示すように、下部空気口１６Ａから室内空気ＲＡを下側器体部分３Ａの内部に吸入して、その吸入空気ＲＡを左右の横側器体部分３Ｃの内部及び上側器体部分３Ｂの内部を通じ暖房用補助空気Ａ′として熱交換部２からの上昇暖気ＨＡに吹き付ける状態で上部空気口１６Ｂから空調対象室の室内に向けて吐出させるようにしてある。
【００６０】
即ち、このような補助空気吐出を行なうことにより、空調対象室での循環流的な大きな空気対流の形成を促進して、空調対象室における上下方向での温度の偏りを軽減し、これにより、空調対象室に対して均一で良好な冷暖房を施せるようにしてある。
【００６１】
図２において、１９は制御器（制御手段）であり、この制御器１９は、冷房運転と暖房運転とでファン１８の送風向きを切り換えることに加え、冷房運転及び暖房運転の夫々において、上記ファン１８の運転を実施する補助空気吐出運転と、上記ファン１８を停止したままとする補助空気停止運転とを使用者からの指令に応じて選択的に実施する。
【００６２】
また、この制御器１９は、冷房運転及び暖房運転の夫々において補助空気吐出運転を実施する場合、使用者により設定された時間間隔で上記ファン１８を間欠的に運転して下部空気口１６Ａからの冷房用補助空気Ａの吐出や上部空気口１６Ｂからの暖房用補助空気Ａ′の吐出を間欠化する間欠モードと、上記ファン１８を連続運転して下部空気口１６Ａからの冷房用補助空気Ａの吐出や上部空気口１６Ｂからの暖房用補助空気Ａ′の吐出を連続吐出とする連続モードとを使用者からの指令に応じて選択的に実施するものにしてある。
【００６３】
そしてまた、この制御器１９は、間欠モード及び連続モードの夫々において、ファン回転数調整により上記ファン１８の送風量（即ち、冷房用補助空気Ａや暖房用補助空気Ａ′の吐出風量）を使用者からの指令に応じて調整するものにしてある。
【００６４】
〔別実施形態〕
次に本発明の別の実施形態を列記する。
【００６５】
上述の実施形態では、下部空気口１６Ａからの冷房用補助空気Ａの吐出と上部空気口１６Ｂからの暖房用補助空気Ａ′の吐出とを共通のファン１８により行なう例を示したが、図６に示す如く、下部空気口１６Ａからの冷房用補助空気Ａの吐出を行なう冷房用ファン１８Ａと、上部空気口１６Ｂからの暖房用補助空気Ａ′の吐出を行なう暖房用ファン１８Ｂとを各別に装備してもよい。
【００６６】
また、共通ファン１８を使用する場合、下部空気口１６Ａに向けて送風する冷房用送風状態と上部空気口１６Ｂに向けて送風する暖房用送風状態との切り換えを、ファン回転方向の正逆転切り換えにより行なうのに換え、ファン１８の回転方向は一定にしたままでダンパ装置による風路切り換えにより冷房用送風状態と暖房用送風状態との切り換えを行なうようにしてもよい。
【００６７】
前述の実施形態では、冷房運転の際、上部空気口１６Ｂから器体３周りの室内空気ＲＡを吸入させる例を示したが、これに限らず、他部から吸入した器体３周りの室内空気ＲＡを冷房用補助空気Ａとして下部空気口１６Ａから吐出させるようにしてもよい。
【００６８】
また同様に、前述の実施形態では、暖房運転の際、下部空気口１６Ａから器体３周りの室内空気ＲＡを吸入させる例を示したが、これに限らず、他部から吸入した器体３周りの室内空気ＲＡを暖房用補助空気Ａ′として上部空気口１６Ｂから吐出させるようにしてもよい。
【００６９】
熱交換部２の表側と裏側との両方に冷暖房対象の室内空間部が存在する状態に室内機１を設置する場合には、下部空気口１６Ａや上部空気口１６Ｂを器体３の表側と裏側との両方に設けて、表側及び裏側の両方の室内空間部に対して補助空気吐出運転を行なえるようにしてもよい。
【００７０】
制御器１９は、空調対象室の測定室内温度に応じて、冷房用補助空気Ａや暖房用補助空気Ａ′の吐出風量（即ち、ファン１８，１８Ａ，１８Ｂの送風量）を自動調整したり、間欠モードと連続モードとの切り換えや、補助空気吐出運転と補助空気停止運転との切り換えを自動的に行なうものにしてもよい。
【００７１】
また、前述の実施形態では、器体３をダクトとして利用する状態で、器体３の内部を通じて下部空気口１６Ａや上部空気口１６Ｂに冷房用ないし暖房用の補助空気Ａ，Ａ′を送る例を示したが、これに限らず、専用風路を通じて下部空気口１６Ａや上部空気口１６Ｂに冷房用ないし暖房用の補助空気Ａ，Ａ′を送る構成を採用してもよい。
【００７２】
本発明は冷房専用の空調装置や暖房専用の空調装置にも適用することができる。
【００７３】
熱交換部２は、伝熱管７の並列配置により形成するものに限らず、内部に冷媒Ｒを通過させるパネル状体などにより形成するものであってもよい。
【００７４】
また、前述の実施形態では熱媒として冷凍回路６の冷媒Ｒを用いる例を示したが、冷温水やブラインあるいは水蒸気などであってもよい。
【産業上の利用可能性】
【００７５】
本発明は各種分野における種々の用途の空調装置に適用することができる。
【符号の説明】
【００７６】
ＲＡ              室内空気
Ｒ                熱媒
２                熱交換部
３                器体
ＣＡ              冷気
Ａ                冷房用補助空気
１６Ａ            下部空気口
１８，１８Ａ      冷房用ファン
ＨＲ              熱輻射
ＨＡ              暖気
Ａ′              暖房用補助空気
１８，１８Ｂ      暖房用ファン
１８              共通ファン
１９              切換手段，制御手段
【図１】
0005641612.tif 000002
【図２】
0005641612.tif 000003
【図３】
0005641612.tif 000004
【図４】
0005641612.tif 000005
【図５】
0005641612.tif 000006
【図６】
0005641612.tif 000007